(57)【要約】  【課題】  装置側の記録媒体をコンピュータの外付けのメモリとしても使用できるようにした光ディスク記録再生装置を提供する。  【解決手段】  コンピュータと接続され、装置側ＣＰＵをコンピュータの命令に従うようにサブ化させる。この後、装置側の記録媒体を開放し、記録媒体をコンピュータから操作できるようにする。コンピュータから例えば書込み命令が与えられると、装置側ＣＰＵは書き込みであると判定し、コンピュータからのデータを一旦ＲＡＭに格納させ、ＲＡＭの全領域がデータで満たされたとき、データ受信を停止させ、ＲＡＭのデータを記録媒体に書き込ませる。書き込んだ後も接続信号が有る場合はデータ受信を再開させる。装置単体では今まで通り、装置側の記録媒体に対して映像音声情報などを記録／再生することができ、また、装置側の記録媒体をコンピュータの外付けメモリとしても使用できるようになる。【選択図】      図２
2006302392.tif 000002
【特許請求の範囲】
【請求項１】
記録媒体としての光ディスクであるＤＶＤに対して情報の記録／再生を行う光ディスク
記録再生装置、またはＤＶＤに対して情報の記録／再生を行うと共に記録媒体として追加
されたハードディスクに対しても情報の記録／再生を行う光ディスク記録再生装置におい
て、相互にデータ通信が可能なインターフェイスによりコンピュータと接続し、前記コン
ピュータと通信可能に可能になったか否かを接続信号の有無により判定する接続有無判定
手段と、前記接続信号が有ると判定されたことにより装置側ＣＰＵを前記コンピュータの
命令に従うようにサブ化させるサブ化手段と、装置側の記録媒体を開放し前記コンピュー
タから操作できるようにする記録媒体開放手段と、前記コンピュータからのデータを記録
媒体に書き込むか記録媒体からデータを読み出して前記コンピュータに送信するかを前記
コンピュータからの命令に基づいて判定する書込み／読出し判定手段と、前記書込み／読
出し判定手段により書き込みと判定された場合は前記コンピュータからのデータを一旦Ｒ
ＡＭに格納させる格納処理手段と、前記ＲＡＭの全領域がデータで満たされたときデータ
受信を停止させる受信停止手段と、前記データ受信を停止した後、前記ＲＡＭのデータを
記録媒体に書き込ませる書込み手段と、記録媒体にデータを書き込んだ後も前記接続信号
が有る場合はデータ受信を再開させる受信再開手段と、前記書込み／読出し判定手段によ
り読み出しと判定された場合は記録媒体からデータを読み出す読出し手段と、前記読み出
されたデータを前記コンピュータに送信させる送信手段とを前記装置側ＣＰＵに設け、装
置側の記録媒体を前記コンピュータの外付けメモリとしても使用できるように構成したこ
とを特徴とする光ディスク記録再生装置。
【請求項２】
記録媒体としての光ディスクに対して情報の記録／再生を行う光ディスク記録再生装置
、または光ディスクに対して情報の記録／再生を行うと共に記録媒体として追加されたハ
ードディスクに対しても情報の記録／再生を行う光ディスク記録再生装置において、相互
にデータ通信が可能なインターフェイスによりコンピュータと接続し、装置側の記録媒体
を開放し前記コンピュータから操作できるようにして、前記コンピュータからのデータを
記録媒体に書き込んだり、記録媒体からデータを読み出して前記コンピュータに送信した
りすることを可能にし、装置側の記録媒体を前記コンピュータの外付けメモリとしても使
用できるように構成したことを特徴とする光ディスク記録再生装置。
【請求項３】
前記コンピュータと通信可能に可能になったか否かを接続信号の有無により判定する接
続有無判定手段と、前記接続信号が有ると判定されたことにより装置側ＣＰＵを前記コン
ピュータの命令に従うようにサブ化させるサブ化手段と、装置側の記録媒体を開放し前記
コンピュータから操作できるようにする記録媒体開放手段と、前記コンピュータからのデ
ータを記録媒体に書き込むか記録媒体からデータを読み出して前記コンピュータに送信す
るかを前記コンピュータからの命令に基づいて判定する書込み／読出し判定手段と、前記
書込み／読出し判定手段により書き込みと判定された場合は記録媒体に書き込ませる書込
み手段と、前記書込み／読出し判定手段により読み出しと判定された場合は記録媒体から
データを読み出す読出し手段と、前記読み出されたデータを前記コンピュータに送信させ
る送信手段とを前記装置側ＣＰＵに設けたことを特徴とする請求項２に記載の光ディスク
記録再生装置。
【請求項４】
前記書込み／読出し判定手段により書き込みと判定された場合は前記コンピュータから
のデータを一旦ＲＡＭに格納させる格納処理手段と、前記ＲＡＭの全領域がデータで満た
されたときデータ受信を停止させる受信停止手段と、前記データ受信を停止した後、前記
ＲＡＭのデータを記録媒体に書き込ませる書込み手段と、記録媒体にデータを書き込んだ
後も前記接続信号が有る場合はデータ受信を再開させる受信再開手段とを前記装置側ＣＰ
Ｕに設けたことを特徴とする請求項３に記載の光ディスク記録再生装置。
【請求項５】
前記光ディスクはＤＶＤであることを特徴とする請求項２に記載の光ディスク記録再生
装置。
【発明の詳細な説明】
【技術分野】
【０００１】
本発明はＤＶＤ（デジタル・バーサタイル・ディスク）レコーダやハードディスク付き
のＤＶＤレコーダなどの光ディスク記録再生装置に関し、特に、コンピュータ（パーソナ
ルコンピュータ）と接続可能にした光ディスク記録再生装置に関する。
【背景技術】
【０００２】
近年普及してきているＤＶＤは、映画などのような情報量の多い映像音声情報を記録す
るのに用いられていることが多い。このようなＤＶＤの種類としては、メーカ側で情報が
記録されてユーザ側では書き換えができないＲＯＭタイプのＤＶＤや、ユーザ側で書き込
み可能なタイプのＤＶＤ（ＤＶＤ−Ｒ）や、同じくユーザ側で書き換え可能なタイプのＤ
ＶＤ（ＤＶＤ−ＲＷ）などが知られている。これらのＤＶＤに記録された情報は、ＤＶＤ
プレイヤまたはＤＶＤレコーダで再生可能であり、ＤＶＤ（ＤＶＤ−Ｒ）やＤＶＤ（ＤＶ
Ｄ−ＲＷ）への情報の記録は、ＤＶＤレコーダで可能である。
【０００３】
ところで、光ディスク記録再生装置をコンピュータの外付けのメモリとして使用するシ
ステムが提案されている（例えば特許文献１〜３参照）。先ず、特許文献１の従来技術は
、コンピュータからＵＳＢを介して転送されてきたデータをＣＤ（コンパクト・ディスク
）に書き込むディスクドライブ装置（光ディスク記録再生装置に相当）であり、このディ
スクドライブ装置によりデータが記録／再生されるＣＤをコンピュータの外付けメモリと
して使用している。
【０００４】
特許文献２の従来技術は、ＣＤドライブ（光ディスク記録再生装置に相当）を、ＵＳＢ
を介してコンピュータ装置に接続し、コンピュータ装置からのデータをＣＤドライブによ
りＣＤに記録し、また、ＣＤに記録されたデータをＣＤドライブで読み出してコンピュー
タ装置に送信する構成を有し、このＣＤドライブによりデータが記録／再生されるＣＤを
コンピュータの外付けメモリとして使用している。
【０００５】
特許文献３の従来技術は、ディスクドライブ装置を、ＵＳＢを介してパソコンに接続し
、ディスクドライブ装置とパソコン間でデータの送受信を行う構成を有し、ディスクドラ
イブ装置により記録／再生されるＭＤ（ミニ・ディスク）をパソコンの外付けメモリとし
て使用している。
【特許文献１】特開２００２−３１２０８１号公報
【特許文献２】特開２００４−１２７４１２号公報
【特許文献３】特開２００４−９４８１５号公報
【特許文献４】特開２００４−２１３８４３号公報
【特許文献５】特開２００３−１２３３８０号公報
【発明の開示】
【発明が解決しようとする課題】
【０００６】
ところで、特許文献１の従来技術では、前述したように、ディスクドライブ装置により
データが記録／再生されるＣＤをコンピュータの外付けメモリとして使用しているが、こ
のＣＤに対してはコンピュータからの音声データを書き込んだり、ＣＤから音声データを
読み出してコンピュータに供給したりするだけで、コンピュータの元々のメモリ容量が不
足した場合に、コンピュータ自体の処理に必要なプログラムやデータをＣＤに書き込んだ
りすることは行っておらず、そのＣＤは、コンピュータの外付けメモリとしての汎用性は
劣ると言う課題がある。
【０００７】
また、特許文献２の従来技術では、前述したように、ＣＤドライブによりデータが記録
／再生されるＣＤをコンピュータの外付けメモリとして使用しているが、この従来技術も
、そのＣＤに対してはコンピュータからの音声データを書き込んだり、ＣＤから音声デー
タを読み出してコンピュータに供給したりするだけで、コンピュータの元々のメモリ容量
が不足した場合に、コンピュータ自体の処理に必要なプログラムやデータをＣＤに書き込
んだりすることは行っていないので、この場合のＣＤは外付けメモリとしての汎用性は劣
ると言う課題がある。
【０００８】
また、特許文献３の従来技術では、前述したように、ディスクドライブ装置により記録
／再生されるＭＤをパソコンの外付けメモリとして使用しているが、そのディスクドライ
ブ装置はオーディオデータを記録／再生する機能を有するだけで、映像データも記録／再
生できるものではないので、この場合のＭＤは利用範囲が狭いと言う課題がある。
【０００９】
なお、特許文献４の従来技術は、ホスト機器の外付けメモリとして携帯可能なハードデ
ィスクユニットが用いられているもので、光ディスクを用いて映像音声データを記録／再
生するＤＶＤレコーダなどの光ディスク記録再生装置に関するものではない。また、特許
文献５の従来技術は、コンピュータの外付けメモリとしてハードディスク装置が用いられ
ているので、この場合も光ディスクを用いて映像音声データを記録／再生するＤＶＤレコ
ーダなどの光ディスク記録再生装置に関するものではない。
【００１０】
本発明は、上記のような課題を解決するためになされたもので、コンピュータと接続可
能にし、装置側の記録媒体をコンピュータの外付けのメモリとしても使用できるようにし
た光ディスク記録再生装置を提供することを目的とする。
【課題を解決するための手段】
【００１１】
上記目的を達成するために、請求項１の発明は、記録媒体としての光ディスクであるＤ
ＶＤに対して映像音声情報の記録／再生を行う光ディスク記録再生装置、またはＤＶＤに
対して情報の記録／再生を行うと共に記録媒体として追加されたハードディスクに対して
も情報の記録／再生を行う光ディスク記録再生装置において、相互にデータ通信が可能な
インターフェイスによりコンピュータと接続し、前記コンピュータと通信可能に可能にな
ったか否かを接続信号の有無により判定する接続有無判定手段と、前記接続信号が有ると
判定されたことにより装置側ＣＰＵを前記コンピュータの命令に従うようにサブ化させる
サブ化手段と、装置側の記録媒体を開放し前記コンピュータから操作できるようにする記
録媒体開放手段と、前記コンピュータからのデータを記録媒体に書き込むか記録媒体から
データを読み出して前記コンピュータに送信するかを前記コンピュータからの命令に基づ
いて判定する書込み／読出し判定手段と、前記書込み／読出し判定手段により書き込みと
判定された場合は前記コンピュータからのデータを一旦ＲＡＭに格納させる格納処理手段
と、前記ＲＡＭの全領域がデータで満たされたときデータ受信を停止させる受信停止手段
と、前記データ受信を停止した後、前記ＲＡＭのデータを記録媒体に書き込ませる書込み
手段と、記録媒体にデータを書き込んだ後も前記接続信号が有る場合はデータ受信を再開
させる受信再開手段と、前記書込み／読出し判定手段により読み出しと判定された場合は
記録媒体からデータを読み出す読出し手段と、前記読み出されたデータを前記コンピュー
タに送信させる送信手段とを前記装置側ＣＰＵに設け、装置側の記録媒体を前記コンピュ
ータの外付けメモリとしても使用できるように構成したことを特徴とする光ディスク記録
再生装置を提供する。
【００１２】
この構成においては、相互にデータ通信が可能なインターフェイスにより光ディスク記
録再生装置がコンピュータと接続され、接続信号が有るということが接続有無判定手段に
より判定されると、光ディスク記録再生装置とコンピュータとは通信可能状態になってい
ることになる。ここで、サブ化手段により、装置側ＣＰＵをコンピュータの命令に従うよ
うにサブ化させる。この後、記録媒体開放手段は、装置側の記録媒体を開放することによ
り、この記録媒体はコンピュータから操作できるようになる。
【００１３】
このような動作状態にあるとき、コンピュータから書込み命令が光ディスク記録再生装
置に与えられると、装置側ＣＰＵは、書込み／読出し判定手段により、書き込みであると
判定し、格納処理手段によりコンピュータからのデータを一旦ＲＡＭに格納させる。そし
て、ＲＡＭの全領域がデータで満たされたとき、受信停止手段によりデータ受信を停止さ
せ、この後、書込み手段によりＲＡＭのデータを記録媒体に書き込ませる。そして、記録
媒体にデータを書き込んだ後も、接続信号が有る場合は、受信再開手段によりデータ受信
を再開させる。
【００１４】
一方、コンピュータから読出し命令があり、書込み／読出し判定手段により読み出しと
判定された場合は、読出し手段により記録媒体からデータが読み出され、この読み出され
たデータは送信手段によりコンピュータに送信される。
【００１５】
この構成によれば、光ディスク記録再生装置単体では今まで通り、装置側のＤＶＤやハ
ードディスクなどの記録媒体に対して情報を記録／再生することができ、また、光ディス
ク記録再生装置をコンピュータに接続することにより、光ディスク記録再生装置側の記録
媒体をコンピュータの外付けメモリとしても使用できるようになり、コンピュータの元々
のメモリが不足になっても、装置側の記録媒体を利用できるので、新たにメモリをコンピ
ュータに追加する必要がなくなり、ユーザの経済的負担が軽減できる。また、光ディスク
記録再生装置をコンピュータに接続することにより、光ディスク記録再生装置側では不可
能な種類の編集もコンピュータ側で行うことが可能になり、ユーザにとっては使い勝手が
向上する。
【００１６】
請求項２の発明は、記録媒体としての光ディスクに対して情報の記録／再生を行う光デ
ィスク記録再生装置、または光ディスクに対して情報の記録／再生を行うと共に記録媒体
として追加されたハードディスクに対しても情報の記録／再生を行う光ディスク記録再生
装置において、相互にデータ通信が可能なインターフェイスによりコンピュータと接続し
、装置側の記録媒体を開放し前記コンピュータから操作できるようにして、前記コンピュ
ータからのデータを記録媒体に書き込んだり、記録媒体からデータを読み出して前記コン
ピュータに送信したりすることを可能にし、装置側の記録媒体を前記コンピュータの外付
けメモリとしても使用できるように構成したことを特徴とする光ディスク記録再生装置を
提供する。
【００１７】
この構成においては、光ディスク記録再生装置を相互にデータ通信が可能なインターフ
ェイスによりコンピュータと接続し、装置側の記録媒体を開放し、コンピュータから操作
できるようにして、コンピュータからのデータを記録媒体に書き込んだり、記録媒体から
データを読み出してコンピュータに送信したりすることを可能にしている。
【００１８】
この構成によれば、光ディスク記録再生装置単体では今まで通り、装置側の光ディスク
やハードディスクなどの記録媒体に対して情報を記録／再生することができ、また、光デ
ィスク記録再生装置をコンピュータに接続することにより、光ディスク記録再生装置側の
記録媒体をコンピュータの外付けメモリとしても使用できるようになり、コンピュータの
元々のメモリが不足になっても、装置側の記録媒体を利用できるので、新たにメモリをコ
ンピュータに追加する必要がなくなり、ユーザの経済的負担が軽減できる。また、光ディ
スク記録再生装置をコンピュータに接続することにより、光ディスク記録再生装置側では
不可能な種類の編集もコンピュータ側で行うことが可能になり、ユーザにとっては使い勝
手が向上する。
【００１９】
請求項３の発明では、請求項２の発明において、前記コンピュータと通信可能に可能に
なったか否かを接続信号の有無により判定する接続有無判定手段と、前記接続信号が有る
と判定されたことにより装置側ＣＰＵを前記コンピュータの命令に従うようにサブ化させ
るサブ化手段と、装置側の記録媒体を開放し前記コンピュータから操作できるようにする
記録媒体開放手段と、前記コンピュータからのデータを記録媒体に書き込むか記録媒体か
らデータを読み出して前記コンピュータに送信するかを前記コンピュータからの命令に基
づいて判定する書込み／読出し判定手段と、前記書込み／読出し判定手段により書き込み
と判定された場合は記録媒体に書き込ませる書込み手段と、前記書込み／読出し判定手段
により読み出しと判定された場合は記録媒体からデータを読み出す読出し手段と、前記読
み出されたデータを前記コンピュータに送信させる送信手段とを前記装置側ＣＰＵに設け
た。
【００２０】
したがって、装置側ＣＰＵでは、インターフェイスによりコンピュータと接続され、通
信可能に可能になったか否かを接続信号の有無により判定する処理、前記接続信号が有る
と判定されたことにより装置側ＣＰＵをコンピュータの命令に従うようにサブ化させる処
理、装置側の記録媒体を開放しコンピュータから操作できるようにする処理、コンピュー
タからのデータを記録媒体に書き込むか記録媒体からデータを読み出してコンピュータに
送信するかをコンピュータからの命令に基づいて判定する処理、前記書き込みと判定され
た場合に記録媒体に書き込ませる処理、読み出しと判定された場合に記録媒体からデータ
を読み出す処理、および前記読み出されたデータをコンピュータに送信させる処理を実現
することができる。
【００２１】
請求項４の発明では、請求項３の発明において、前記書込み／読出し判定手段により書
き込みと判定された場合は前記コンピュータからのデータを一旦ＲＡＭに格納させる格納
処理手段と、前記ＲＡＭの全領域がデータで満たされたときデータ受信を停止させる受信
停止手段と、前記データ受信を停止した後、前記ＲＡＭのデータを記録媒体に書き込ませ
る書込み手段と、記録媒体にデータを書き込んだ後も前記接続信号が有る場合はデータ受
信を再開させる受信再開手段とを前記装置側ＣＰＵに設けた。
【００２２】
したがって、装置側ＣＰＵでは、前記書き込みと判定された場合にコンピュータからの
データを一旦ＲＡＭに格納させる処理、ＲＡＭの全領域がデータで満たされたときデータ
受信を停止させる処理、前記データ受信を停止した後、およびＲＡＭのデータを記録媒体
に書き込ませる処理、記録媒体にデータを書き込んだ後も前記接続信号が有る場合にデー
タ受信を再開させる処理を実現でき、これにより、コンピュータからのデータを一旦ＲＡ
Ｍに格納でき、データ受信処理が具体的に可能になる。
【００２３】
請求項５の発明では、請求項２の発明において、光ディスクはＤＶＤであるので、光デ
ィスク記録再生装置としては、ＤＶＤレコーダあるいはハードディスク付きＤＶＤレコー
ダであり、ＤＶＤレコーダあるいはハードディスク付きＤＶＤレコーダの用途が広くなる
。
【発明の効果】
【００２４】
以上のように本発明によれば、記録媒体としての光ディスクであるＤＶＤに対して情報
の記録／再生を行う光ディスク記録再生装置、またはＤＶＤに対して情報の記録／再生を
行うと共に記録媒体として追加されたハードディスクに対しても情報の記録／再生を行う
光ディスク記録再生装置において、相互にデータ通信が可能なインターフェイスによりコ
ンピュータと接続し、前記コンピュータと通信可能に可能になったか否かを接続信号の有
無により判定する接続有無判定手段と、前記接続信号が有ると判定されたことにより装置
側ＣＰＵを前記コンピュータの命令に従うようにサブ化させるサブ化手段と、装置側の記
録媒体を開放し前記コンピュータから操作できるようにする記録媒体開放手段と、前記コ
ンピュータからのデータを記録媒体に書き込むか記録媒体からデータを読み出して前記コ
ンピュータに送信するかを前記コンピュータからの命令に基づいて判定する書込み／読出
し判定手段と、前記書込み／読出し判定手段により書き込みと判定された場合は前記コン
ピュータからのデータを一旦ＲＡＭに格納させる格納処理手段と、前記ＲＡＭの全領域が
データで満たされたときデータ受信を停止させる受信停止手段と、前記データ受信を停止
した後、前記ＲＡＭのデータを記録媒体に書き込ませる書込み手段と、記録媒体にデータ
を書き込んだ後も前記接続信号が有る場合はデータ受信を再開させる受信再開手段と、前
記書込み／読出し判定手段により読み出しと判定された場合は記録媒体からデータを読み
出す読出し手段と、前記読み出されたデータを前記コンピュータに送信させる送信手段と
を前記装置側ＣＰＵに設け、装置側の記録媒体を前記コンピュータの外付けメモリとして
も使用できるように構成したので、光ディスク記録再生装置単体では今まで通り、装置側
のＤＶＤやハードディスクなどの記録媒体に対して情報を記録／再生することができ、ま
た、光ディスク記録再生装置をコンピュータに接続することにより、光ディスク記録再生
装置側の記録媒体をコンピュータの外付けメモリとしても使用できるようになり、コンピ
ュータの元々のメモリが不足になっても、装置側の記録媒体を利用できるので、新たにメ
モリをコンピュータに追加する必要がなくなり、ユーザの経済的負担が軽減できる。また
、光ディスク記録再生装置をコンピュータに接続することにより、光ディスク記録再生装
置側では不可能な種類の編集もコンピュータ側で行うことが可能になり、ユーザにとって
は使い勝手が向上する。
【００２５】
また、本発明によれば、記録媒体としての光ディスクに対して情報の記録／再生を行う
光ディスク記録再生装置、または光ディスクに対して情報の記録／再生を行うと共に記録
媒体として追加されたハードディスクに対しても情報の記録／再生を行う光ディスク記録
再生装置において、相互にデータ通信が可能なインターフェイスによりコンピュータと接
続し、装置側の記録媒体を開放し前記コンピュータから操作できるようにして、前記コン
ピュータからのデータを記録媒体に書き込んだり、記録媒体からデータを読み出して前記
コンピュータに送信したりすることを可能にし、装置側の記録媒体を前記コンピュータの
外付けメモリとしても使用できるように構成したので、光ディスク記録再生装置単体では
今まで通り、装置側の光ディスクやハードディスクなどの記録媒体に対して情報を記録／
再生することができ、また、光ディスク記録再生装置をコンピュータに接続することによ
り、光ディスク記録再生装置側の記録媒体をコンピュータの外付けメモリとしても使用で
きるようになり、コンピュータの元々のメモリが不足になっても、装置側の記録媒体を利
用できるので、新たにメモリをコンピュータに追加する必要がなくなり、ユーザの経済的
負担が軽減できる。また、光ディスク記録再生装置をコンピュータに接続することにより
、光ディスク記録再生装置側では不可能な種類の編集もコンピュータ側で行うことが可能
になり、ユーザにとっては使い勝手が向上する。
【発明を実施するための最良の形態】
【００２６】
以下、添付図面を参照しつつ、本発明の実施の形態について説明する。図１は本発明の
一実施形態に係る光ディスク記録再生装置としてのハードディスク付きＤＶＤレコーダの
構成を示すブロック図である。
【００２７】
このＤＶＤレコーダ１２は、装填されたＤＶＤ１に対して映像音声データなどを記録し
たり（ＤＶＤ−ＲＷドライブとして使用する場合）、ＤＶＤ１に記録された映像音声デー
タなどを再生したりするローダー２と、装置内部に予め備えられているハードディスク３
に対して映像音声データなどを記録したり、ハードディスク３に対して映像音声データな
どを再生したりするハードディスクドライブ４と、ローダー２またはハードディスクドラ
イブ４に対して書き込み／読み出し制御を行うフロントエンド５と、装置全体を制御する
メインＣＰＵ６と、このメインＣＰＵ６の処理に必要なデータを一時的に格納するＲＡＭ
７と、メインＣＰＵ６の処理に必要なプログラムやデータを記憶するフラッシュメモリ８
と、受信の際はコンピュータ１３からのデータをＤＶＤレコーダ１２側で処理できるデー
タ形式に変換する処理を行うと共に、送信の際はコンピュータ１３側で処理できるデータ
形式に変換する処理を行う信号処理回路９とを備えている。
【００２８】
前記メインＣＰＵ６は、相互にデータ通信が可能なインターフェイスである例えばＵＳ
Ｂ（Universal Serial Bus）１０によりコンピュータ１３と接続し、コンピュータ１３と
通信可能に可能になったか否かを接続信号の有無により判定する接続有無判定手段６１と
、前記接続信号が有ると判定されたことによりメインＣＰＵ６をコンピュータ１３の命令
に従うようにサブ化させるサブ化手段６２と、装置側の記録媒体であるＤＶＤ１またはハ
ードディスク３を開放しコンピュータ１３から操作できるようにする記録媒体開放手段６
３と、コンピュータ１３からのデータをＤＶＤ１またはハードディスク３に書き込むか、
ＤＶＤ１またはハードディスク３からデータを読み出してコンピュータ１３に送信するか
をコンピュータ１３からの命令に基づいて判定する書込み／読出し判定手段６４とを有す
る。
【００２９】
また、メインＣＰＵ６は、前記書込み／読出し判定手段６４により書き込みと判定され
た場合にコンピュータ１３からのデータを一旦ＲＡＭ７に格納させる格納処理手段６５と
、ＲＡＭ７の全領域がデータで満たされたときデータ受信を停止させる受信停止手段６６
と、前記データ受信を停止した後、ＲＡＭ７のデータをＤＶＤ１またはハードディスク３
に書き込ませる書込み手段６７と、ＤＶＤ１またはハードディスク３にデータを書き込ん
だ後も前記接続信号が有る場合はデータ受信を再開させる受信再開手段６８と、書込み／
読出し判定手段６４により読み出しと判定された場合にＤＶＤ１またはハードディスク３
からデータを読み出す読出し手段６９と、前記読み出されたデータをコンピュータ１３に
送信させる送信手段７０とを有する。
【００３０】
また、メインＣＰＵ６は、ＤＶＤ１やハードディスク３から読み出された映像音声デー
タを処理して映像音声信号として映像出力端子１１から出力させたり、入出力端子１１か
ら入力した映像音声信号を処理して映像音声データとしてＤＶＤ１やハードディスク３に
書き込ませたりする本来のＤＶＤレコーダとしての処理および制御も行う。
【００３１】
図２は、本実施形態において、ハードディスク付きＤＶＤレコーダ１２がコンピュータ
１３に接続されたとき、このＤＶＤレコーダ１２における処理を説明するためのフローチ
ャートである。このフローチャートを参照してハードディスク付きＤＶＤレコーダ１２が
コンピュータ１３に接続されたとき、このＤＶＤレコーダ１２における処理について説明
する。
【００３２】
ハードディスク付きＤＶＤレコーダ１２は、ＵＳＢ１０によりコンピュータ１３と接続
され、接続信号が有るということがメインＣＰＵ６の接続有無判定手段６１により判定さ
れると（ステップＳ１）、ＤＶＤレコーダ１２とコンピュータ１３とは通信可能状態にな
っていることになる。ここで、メインＣＰＵ６は、サブ化手段６２により、自体のメイン
ＣＰＵ６をコンピュータ１３の命令に従うようにサブ化させる（ステップＳ２）。この後
、記録媒体開放手段６３は、装置側の記録媒体であるＤＶＤ１またはハードディスク３を
開放することにより（ステップＳ３）、ＤＶＤ１またはハードディスク３はコンピュータ
１３から操作できるようになる。
【００３３】
このような動作状態にあるとき、コンピュータ１３から書込み命令がＵＳＢ１０を介し
てＤＶＤレコーダ１２に与えられると、メインＣＰＵ６は、書込み／読出し判定手段６４
により、与えられた命令が書き込みであると判定し（ステップＳ４）、この後、コンピュ
ータ１３からのデータを、ＵＳＢ１０を介して信号処理回路９が受信する（ステップＳ８
）。信号処理回路９では、受信したデータをＤＶＤレコーダ１２側で処理できるようなデ
ータ形式に変換し、変換したデータをメインＣＰＵ６に与える。
【００３４】
これにより、メインＣＰＵ６は、格納処理手段６５により信号処理回路９からのデータ
を一旦ＲＡＭ７に格納させる（ステップＳ９）。そして、ＲＡＭ７の全領域がデータで満
たされたとき（ステップＳ１０）、受信停止手段６６によりデータ受信を停止させ（ステ
ップＳ１１）、この後、書込み手段６７により、ＲＡＭ７のデータをＤＶＤ１またはハー
ドディスク３に書き込ませる（ステップＳ１２）。
【００３５】
例えば、コンピュータ１３からＤＶＤ書込み命令があった場合、メインＣＰＵ６は、書
込み／読出し判定手段６４により、ＤＶＤ１にデータを書き込むと判定し（ステップＳ４
）、そして、ＤＶＤ１にデータを書き込むため、メインＣＰＵ６はフロントエンド５にロ
ーダー２を駆動させるように指示し、これにより、ローダー２が駆動してＤＶＤ１にデー
タが書き込まれる。
【００３６】
また、コンピュータ１３からハードディスク書込み命令があった場合、書込み／読出し
判定手段６４により、ハードディスク３にデータを書き込むと判定し（ステップＳ５）、
そして、ハードディスク３にデータを書き込むため、メインＣＰＵ６はフロントエンド５
にハードディスクドライブ４を駆動させるように指示し、これにより、ハードディスクド
ライブ４が駆動してハードディスク３にデータが書き込まれる。これらのデータの書き込
みの際は、ステップＳ９で説明したように一旦ＲＡＭ７に格納され、この後、ＲＡＭ７か
らデータが読み出され、ＤＶＤ１またはハードディスク３に書き込まれる。
【００３７】
そして、この後、前記接続信号が無いと判定された場合は（ステップＳ１３）、コンピ
ュータ１３との接続を遮断するが（ステップＳ１７）、未だ前記接続信号が有ると判定さ
れた場合は（ステップＳ１３）、受信再開手段６８により、データ受信を再開する（ステ
ップＳ１４）。この後は、接続信号が無くなるまで、同様にステップＳ８〜ステップＳ１
４の処理を繰り返す。
【００３８】
次に、コンピュータ１３からＤＶＤ読出し命令があった場合、メインＣＰＵ６は、書込
み／読出し判定手段６４により、ＤＶＤ１からデータを読み出すと判定し（ステップＳ６
）、そして、ＤＶＤ１からデータを読み出すため、メインＣＰＵ６の読出し手段６９は、
フロントエンド５にローダー２を駆動させるように指示し、これにより、ローダー２が駆
動してＤＶＤ１からデータが読み出される。
【００３９】
この後、接続信号が無くなるまで（ステップＳ１６）、メインＣＰＵ６の送信手段７０
は、ＤＶＤ１から読み出されたデータを、信号処理回路９に与えてデータ形式を変換し、
ＵＳＢ１０を介してコンピュータ１３に送信する（ステップＳ１５）。そして、この後、
前記接続信号が無いと判定された場合は（ステップＳ１６）、コンピュータ１３との接続
を遮断する（ステップＳ１７）。
【００４０】
また、コンピュータ１３からハードディスク読出し命令があった場合、メインＣＰＵ６
は、書込み／読出し判定手段６４により、ハードディスク３からデータを読み出すと判定
し（ステップＳ７）、そして、ハードディスク３からデータを読み出すため、メインＣＰ
Ｕ６の読出し手段６９は、フロントエンド５にハードディスクドライブ４を駆動させるよ
うに指示し、これにより、ハードディスクドライブ４が駆動してハードディスク３からデ
ータが読み出される。
【００４１】
この後、接続信号が無くなるまで（ステップＳ１６）、メインＣＰＵ６の送信手段７０
は、ハードディスク３から読み出されたデータを、信号処理回路９に与えてデータ形式を
変換し、ＵＳＢ１０を介してコンピュータ１３に送信する（ステップＳ１５）。そして、
この後、前記接続信号が無いと判定された場合は（ステップＳ１６）、コンピュータ１３
との接続を遮断する（ステップＳ１７）。
【００４２】
以上のように本実施形態によれば、ハードディスク付きＤＶＤレコーダ単体では今まで
通り、レコーダ側のＤＶＤやハードディスクに対して映像音声情報などを記録／再生する
ことができ、また、このＤＶＤレコーダをコンピュータに接続することにより、ＤＶＤレ
コーダ側のＤＶＤやハードディスクをコンピュータの外付けメモリとしても使用できるよ
うになり、コンピュータの元々のメモリが不足になっても、ＤＶＤレコーダ側のＤＶＤや
ハードディスクを利用できるので、新たにメモリをコンピュータに追加する必要がなくな
り、ユーザの経済的負担が軽減できる。また、このＤＶＤレコーダをコンピュータに接続
することにより、ＤＶＤレコーダ側では不可能な種類の編集もコンピュータ側で行うこと
が可能になり、ユーザにとっては使い勝手が向上する。
【００４３】
なお、上記実施形態では、ハードディスク付きＤＶＤレコーダについて説明したが、ハ
ードディスクが付いていないＤＶＤレコーダについても同様な効果が得られ、この場合は
、コンピュータの外付けメモリとして利用できるのはＤＶＤのみとなる。
【図面の簡単な説明】
【００４４】
【図１】本発明の一実施形態に係る光ディスク記録再生装置としてのハードディスク付きＤＶＤレコーダの構成を示すブロック図である。
【図２】前記実施形態においてハードディスク付きＤＶＤレコーダがコンピュータに接続されたとき、ＤＶＤレコーダにおける処理を説明するためのフローチャートである。
【符号の説明】
【００４５】
１    ＤＶＤ
３    ハードディスク
６    メインＣＰＵ
７    ＲＡＭ
１０    ＵＳＢ（インターフェイス）
１２    ハードディスク付きＤＶＤレコーダ
１３    コンピュータ
６１    接続有無判定手段
６２    サブ化手段
６３    記録媒体開放手段
６４    書込み／読出し判定手段
６５    格納処理手段
６６    受信停止手段
６７    書込み手段
６８    受信再開手段
６９    読出し手段
７０    送信手段
【図１】
2006302392.tif 000003
【図２】
2006302392.tif 000004